(57)【要約】【課題】貫流式排熱回収ボイラにおいて、コストの上昇とエネルギの損失とを抑えつつ、起動時における安定した蒸発器循環運転を実現する。【解決手段】それぞれ、ガスタービン１からの排ガスが流通する排ガス流路の上流側から下流側に順に過熱器、蒸発器および節炭器を有する高圧系４１、中圧系４２および低圧系４３を備え、中圧系４２および低圧系４３は、それぞれ蒸気ドラムを備え、高圧系４１は、汽水分離器を備える貫流式排熱回収ボイラ２ａ、２ｂ、２ｃであって、汽水分離器の飽和水を、中圧系４２および低圧系４３のいずれかに戻す蒸発器循環ライン２４ａ、２４ｂ、２４ｃを備える。【選択図】図１
2020003090.tif 000002
【特許請求の範囲】
【請求項１】
それぞれ、ガスタービンからの排ガスが流通する排ガス流路の上流側から下流側に順に過熱器、蒸発器および節炭器を有する高圧系、中圧系および低圧系を備え、前記中圧系および前記低圧系は、それぞれ蒸気ドラムを備え、前記高圧系は、汽水分離器を備える貫流式排熱回収ボイラであって、
前記汽水分離器の飽和水を、前記中圧系および前記低圧系のいずれかに戻す蒸発器循環ラインを備えること
を特徴とする貫流式排熱回収ボイラ。
【請求項２】
請求項１記載の貫流式排熱回収ボイラであって、
前記蒸発器循環ラインは、前記汽水分離器の飽和水排出口に接続された下降管から分岐して前記低圧系の節炭器の入口配管に接続されること
を特徴とする貫流式排熱回収ボイラ。
【請求項３】
請求項１記載の貫流式排熱回収ボイラであって、
前記蒸発器循環ラインは、前記汽水分離器の飽和水排出口に接続された下降管から分岐して前記低圧系の蒸気ドラムに接続されること
を特徴とする貫流式排熱回収ボイラ。
【請求項４】
請求項１記載の貫流式排熱回収ボイラであって、
前記蒸発器循環ラインは、前記汽水分離器の飽和水排出口に接続された下降管から分岐して前記中圧系の蒸気ドラムに接続されること
を特徴とする貫流式排熱回収ボイラ。
【請求項５】
請求項１〜４のいずれか１項記載の貫流式排熱回収ボイラであって、
前記高圧系および前記中圧系へは、前記低圧系の節炭器から給水が供給されること
を特徴とする貫流式排熱回収ボイラ。
【請求項６】
請求項２または３記載の貫流式排熱回収ボイラであって、
前記高圧系および前記中圧系へは、前記低圧系の蒸気ドラムから給水が供給されること
を特徴とする貫流式排熱回収ボイラ。
【請求項７】
請求項２記載の貫流式排熱回収ボイラであって、
前記低圧系から前記高圧系および前記中圧系へ給水を供給する高中圧給水ラインから分岐して前記蒸発器循環ラインに接続される循環水減温ラインをさらに備えること
を特徴とする貫流式排熱回収ボイラ。
【請求項８】
それぞれ、ガスタービンからの排ガスが流通する排ガス流路の上流側から下流側に順に過熱器、蒸発器および節炭器を有する高圧系、中圧系および低圧系を備え、前記中圧系および前記低圧系は、それぞれ蒸気ドラムを備え、前記高圧系は、汽水分離器を備える貫流式排熱回収ボイラの制御システムであって、
前記貫流式排熱回収ボイラは、
前記汽水分離器の飽和水を、前記中圧系および前記低圧系のいずれかに戻す蒸発器循環ラインと、
前記高圧系の蒸発器の管内流量を計測する高圧蒸発器入口給水流量計と、
前記蒸発器循環ライン上に設けられる循環流量調節弁と、を備え、
起動時に、前記高圧蒸発器入口給水流量計で計測された前記管内流量が予め定めた流量規定値となるよう前記循環流量調節弁の開度を制御すること
を特徴とする貫流式排熱回収ボイラの制御システム。
【請求項９】
請求項８記載の貫流式排熱回収ボイラの制御システムであって、
前記貫流式排熱回収ボイラは、
前記低圧系の節炭器の出口から入口に水を再循環させる再循環ラインと、
前記再循環ライン上に設けられる入口温度調節弁と、をさらに備え、
前記循環流量調節弁が閉じられた後、前記低圧系の節炭器の給水入口温度が、予め定めた水温規定値となるよう前記入口温度調節弁の開度を制御すること
を特徴とする貫流式排熱回収ボイラの制御システム。
【発明の詳細な説明】
【技術分野】
【０００１】
本発明は、ガスタービンと排熱回収ボイラと蒸気タービンとを備えるコンバインドサイクル発電設備の排熱回収ボイラに関し、特に、貫流式排熱回収ボイラに関する。
【背景技術】
【０００２】
ガスタービンの排ガスから熱交換によって蒸気を発生させ、その蒸気を用いて蒸気タービンを駆動して発電する、いわゆるコンバインドサイクル発電設備がある。図７（ａ）は、一般的なコンバインドサイクル発電設備１００のプラント構成を示すブロック図である。
【０００３】
図７（ａ）に示すように、コンバインドサイクル発電設備１００では、発電機４と、蒸気タービン３と、ガスタービン１とが連続して設けられ、ガスタービン１で天然ガス等を燃焼させて発電機４にて発電を行う。
【０００４】
ガスタービン１から排出される高温の排ガスは、排熱回収ボイラ２に送られる。排熱回収ボイラ２では、排ガスからの熱回収により、給水を蒸気に変換する。変換された蒸気は、蒸気タービン３に送られて発電機４において発電に用いられる。蒸気タービン３にて仕事をした蒸気は、復水器５にて復水され、復水された水は再び排熱回収ボイラ２へと送られる。
【０００５】
大型のコンバインドサイクル発電設備１００では、例えば、特許文献１に開示されているように、この排熱回収ボイラ２の蒸気系統を高圧系、中圧系および低圧系の三重圧方式で構成して排熱回収の効率を向上させている。このような排熱回収ボイラ２は、高圧系には、汽水分離器を用いる貫流システムを採用し、中、低圧系にはドラムを用いる自然循環システムを採用し、貫流式排熱回収ボイラ２と呼ばれる。
【０００６】
従来の貫流式排熱回収ボイラ２は、図７（ｂ）に示すように、高圧系蒸気系統である高圧系４１と、中圧系蒸気系統である中圧系４２と、低圧系蒸気系統である低圧系４３と、を備える。
【０００７】
各蒸気系統は、それぞれ、ガスタービン１からの排ガスが流通する排ガス流路の上流側から下流側に順に、過熱器と蒸発器と節炭器と、を備える。具体的には、低圧系４３は、低圧過熱器１２と、低圧蒸発器１１と、低圧ドラム１０と、低圧節炭器９と、を備える。また、中圧系４２は、中圧過熱器１８と、中圧蒸発器１７と、中圧ドラム１６と、中圧節炭器１５と、を備える。高圧系４１は、高圧過熱器２３と、高圧蒸発器２１と、高圧汽水分離器２２と、高圧節炭器１９と、を備える。
【０００８】
高圧汽水分離器２２の飽和水排出口には、復水器５へとつながる起動ブローライン２６が設置される。起動ブローライン２６には、起動ブロー弁２７が設けられる。また、高圧汽水分離器２２の飽和水排出口には、ブロータンク２８へつながるブローライン３８も設置される。さらに、高圧汽水分離器２２の飽和水排出口には、高圧汽水分離器２２にて分離された飽和水を高圧蒸発器２１に戻す蒸発器循環ライン２４が設けられる。
【０００９】
ガスタービン１からの排ガスは、最初の蒸気系統である高圧系４１の高圧過熱器２３から、最後流部に設置された低圧系４３の低圧節炭器９まで送られ、その間、各蒸気系統で排ガスの保有熱の熱回収が行われる。
【００１０】
復水器５にて復水された水は、復水ポンプ６、復水脱塩装置７、低圧給水ポンプ８を経て貫流式排熱回収ボイラ２の給水入口へと送られる。貫流式排熱回収ボイラ２に供給された給水は、低圧系４３、中圧系４２、高圧系４１の順に流れる間に排ガスとの熱交換により蒸気となる。
【先行技術文献】
【特許文献】
【００１１】
【特許文献１】特表２０１７−５３４８２８号公報
【発明の概要】
【発明が解決しようとする課題】
【００１２】
上述の貫流式排熱回収ボイラ２では、通常運転時は、高圧節炭器１９でさらに加熱された高圧給水は、全て高圧蒸発器２１で蒸気へと変換され、高圧汽水分離器２２を経て高圧過熱器２３へ供給される。このような運転を、貫流運転と呼ぶ。
【００１３】
一方、ガスタービン１からの入熱量が少なく変動も大きい起動時等は、高圧蒸発器２１の出口の流体は飽和二相流となる。このような状態では、貫流式排熱回収ボイラ２では、高圧汽水分離器２２で汽水分離した飽和蒸気のみ高圧過熱器２３へと送り、飽和水は、高圧汽水分離器２２の下部より高圧蒸発器２１の入口へと戻す蒸発器循環運転が行われる。
【００１４】
この蒸発器循環運転中、高圧蒸発器２１を含む蒸発器循環系統内の比容積差により十分な循環力が得られ、豊富な蒸発器管内流量が確保できる場合は、高圧汽水分離器２２で汽水分離された飽和水は、圧力バランスのみで、高圧蒸発器２１の入口側へ自然循環する。従って、高圧汽水分離器２２の下部から高圧蒸発器２１へ飽和水は継続的に供給され、ガスタービン１の排ガスの入熱量変動等により高圧蒸発器２１へ給水が供給されない運転状態になったとしても、高圧蒸発器２１が異常加熱されることはない。
【００１５】
しかしながら、高圧蒸発器２１の圧力損失が大きい場合には自然循環力が得られず、飽和水が蒸発器入口に循環しないため、蒸発器管内流量が著しく低下し、一時的に停滞することもある。このような場合は、蒸発器循環ライン２４に設置された蒸発器循環ポンプ２５を用いて強制循環運転を行って、高圧蒸発器２１の異常加熱を防止する必要がある。この蒸発器循環ポンプ２５は、高圧系４１内に配置されるため、高コストであり、また、蒸発器循環ポンプ２５を駆動させるための補機動力が必要となる。そのため、貫流式排熱回収ボイラ２の低コスト化の実現のためには、蒸発器循環ポンプ２５および蒸発器循環ライン２４をなくすことは非常に有効である。
【００１６】
蒸発器循環ライン２４を設けずに、高圧蒸発器２１の異常加熱を防止するためには、蒸発量が低下した際にも、高圧蒸発器２１への給水の供給を継続する手法を適用すれば良い。しかし、この手法では、過剰な給水に伴って高圧汽水分離器２２の水位が上昇した際は、高圧汽水分離器２２の飽和水を、起動ブローライン２６を経由して復水器５に排出するか、あるいは、ブロータンク２８へ排出することが必要となる。そのため、高圧蒸発器２１までの各部で回収した熱を損失し、貫流式排熱回収ボイラ２の起動時間が増加するといった課題や、ブロータンク２８に排水するため、補給水量が増加するといった課題が生じる。
【００１７】
本発明は、上記事情に鑑みてなされたもので、貫流式排熱回収ボイラにおいて、コストの上昇とエネルギの損失とを抑えつつ、起動時における安定した蒸発器循環運転を実現することを目的とする。
【課題を解決するための手段】
【００１８】
本発明は、それぞれ、ガスタービンからの排ガスが流通する排ガス流路の上流側から下流側に順に過熱器、蒸発器および節炭器を有する高圧系、中圧系および低圧系を備え、前記中圧系および前記低圧系は、それぞれ蒸気ドラムを備え、前記高圧系は、汽水分離器を備える貫流式排熱回収ボイラであって、前記汽水分離器の飽和水を、前記中圧系および前記低圧系のいずれかに戻す蒸発器循環ラインを備えることを特徴とする。
【００１９】
また、本発明は、それぞれ、ガスタービンからの排ガスが流通する排ガス流路の上流側から下流側に順に過熱器、蒸発器および節炭器を有する高圧系、中圧系および低圧系を備え、前記中圧系および前記低圧系は、それぞれ蒸気ドラムを備え、前記高圧系は、汽水分離器を備える貫流式排熱回収ボイラの制御システムであって、前記貫流式排熱回収ボイラは、前記汽水分離器の飽和水を、前記中圧系および前記低圧系のいずれかに戻す蒸発器循環ラインと、前記高圧系の蒸発器の管内流量を計測する高圧蒸発器入口給水流量計と、前記蒸発器循環ライン上に設けられる循環流量調節弁と、を備え、起動時に、前記高圧蒸発器入口給水流量計で計測された前記管内流量が予め定めた流量規定値となるよう前記循環流量調節弁の開度を制御することを特徴とする。
【発明の効果】
【００２０】
本発明によれば、貫流式排熱回収ボイラにおいて、コストの上昇とエネルギの損失とを抑えつつ、起動時における安定した蒸発器循環運転状態を実現できる。上記した以外の課題、構成および効果は、以下の実施形態の説明により明らかにされる。
【図面の簡単な説明】
【００２１】
【図１】（ａ）は、第一の実施形態の貫流式排熱回収ボイラの系統構成を、（ｂ）は、第一の実施形態の変形例１の貫流式排熱回収ボイラの系統構成を、それぞれ示す図である。
【図２】第一の実施形態のコントローラの機能ブロック図である。
【図３】（ａ）は、第一の実施形態と従来との調節弁開度を比較して示す図であり、（ｂ）は、本発明の第一および第三の実施形態と従来との起動時の低圧節炭器給水入口温度特性を比較して示す図である。
【図４】第一の実施形態の変形例２の貫流式排熱回収ボイラの系統構成を示す図である。
【図５】第二の実施形態の貫流式排熱回収ボイラの系統構成を示す図である。
【図６】（ａ）は、第三の実施形態の貫流式排熱回収ボイラの系統構成を、（ｂ）は、第三の実施形態の変形例の貫流式排熱回収ボイラの系統構成を、それぞれ示す図である。
【図７】（ａ）は、コンバインドサイクル発電設備のプラント構成を、（ｂ）は、従来の貫流式排熱回収ボイラの系統構成を、それぞれ示す図である。
【発明を実施するための形態】
【００２２】
本発明の実施形態に係る貫流式排熱回収ボイラについて説明する。本発明の実施形態の貫流式排熱回収ボイラは、図７（ａ）に示すコンバインドサイクル発電設備１００で用いられる。
【００２３】
本発明の実施形態に係る貫流式排熱回収ボイラは、図７（ｂ）に示す従来の貫流式排熱回収ボイラ２における蒸発器循環ポンプ２５および蒸発器循環ライン２４を設けていない点に構成上の特徴がある。
【００２４】
具体的には、本発明の実施形態に係る貫流式排熱回収ボイラは、蒸発器循環ポンプ２５および蒸発器循環ライン２４の代わりに、高圧汽水分離器２２の飽和水を、中圧系４２および低圧系４３のいずれかに戻す蒸発器循環ライン２４ａ，２４ｂ，２４ｃを備えている。そして、起動時等における蒸発器循環運転の際には、蒸発器循環ライン２４ａ，２４ｂ，２４ｃを流れる高圧汽水分離器２２からの飽和水の戻り流量を調整することで、高圧蒸発器２１への給水の供給を継続し、高圧蒸発器２１の異常加熱を防止している。以下、本発明の各実施形態について詳しく説明するが、各実施形態において、図７（ｂ）に示す従来の貫流式排熱回収ボイラ２と同一の構成については同一の符号を付して詳しい説明を省略する。
【００２５】
＜＜第一の実施形態＞＞
本発明の第一の実施形態を説明する。図１（ａ）に、本実施形態の貫流式排熱回収ボイラ２ａの一例を示す。
【００２６】
本実施形態の貫流式排熱回収ボイラ２ａにおいて、蒸発器循環ライン２４ａは、高圧汽水分離器２２の飽和水排出口に接続された下降管から分岐し、低圧系４３の低圧節炭器９の入口配管に接続される。また、蒸発器循環ライン２４ａには、蒸発器循環流量調節弁２９が設けられる。
【００２７】
低圧節炭器９の入口には、復水器５からの給水を低圧節炭器９に供給する復水ライン３７が接続される。復水ライン３７には、復水ポンプ６と、復水脱塩装置７と、低圧給水ポンプ８と、が設けられる。また復水ライン３７の、低圧節炭器９の入口近傍には、低圧節炭器９に供給される給水の温度を計測する低圧節炭器入口給水温度計３４が設けられる。
【００２８】
低圧節炭器９の出口には、低圧節炭器９で加熱された給水を中圧節炭器１５および高圧節炭器１９へと供給する高中圧給水ライン３５が設けられる。この高中圧給水ライン３５には、高中圧給水ポンプ１３と、高圧給水調節弁２０とが設けられる。
【００２９】
低圧節炭器９の出口には、さらに、低圧節炭器９で加熱された給水を、低圧節炭器９の入口に再循環させる節炭器再循環ライン１４が設けられる。節炭器再循環ライン１４には、節炭器再循環ポンプ３６と、低圧節炭器入口温度調節弁３２とが設けられる。
【００３０】
また、本実施形態の貫流式排熱回収ボイラ２ａは、コントローラ２００を備え、低圧節炭器９の給水入口温度、高圧蒸発器２１の管内流量、各蒸気系統の運転圧力、高圧汽水分離器２２の水位等をモニタし、モニタ結果に応じて各調節弁の開閉を制御する。
【００３１】
次に、本実施形態のコントローラ２００による制御を説明する。図２は、本実施形態のコントローラ２００の機能ブロック図である。
【００３２】
本実施形態のコントローラ２００は、高圧蒸発器２１の入口に設けられた高圧蒸発器入口給水流量計３３の出力をモニタし、予め定めた規定値（流量規定値）となるよう、蒸発器循環流量調節弁２９に対し、指令信号を出力する。これを実現するため、本実施形態のコントローラ２００は、流量検出部２１１と、循環流量調節弁開閉制御部２１２と、を備える。
【００３３】
また、本実施形態のコントローラ２００は、低圧節炭器入口温度調節弁３２の開閉も制御する。コントローラ２００は、蒸発器循環流量調節弁２９が開いている間は、低圧節炭器入口温度調節弁３２を閉じる。一方、蒸発器循環運転が終了し、蒸発器循環流量調節弁２９が閉じられると、コントローラ２００は、低圧節炭器９の給水入口温度が、規定値（水温規定値）となるよう、低圧節炭器入口温度調節弁３２の開度を調整する。これを実現するため、本実施形態のコントローラ２００は、水温検出部２１３と、入口温度調節弁開閉制御部２１４と、を備える。
【００３４】
流量検出部２１１は、高圧蒸発器入口給水流量計３３をモニタし、モニタ結果、すなわち、検出流量を、循環流量調節弁開閉制御部２１２に出力する。モニタは、例えば、ガスタービン１が点火された後、所定の時間間隔で行う。
【００３５】
循環流量調節弁開閉制御部２１２は、高圧蒸発器２１の管内流量が、流量規定値となるよう、蒸発器循環流量調節弁２９の開度を調整する。本実施形態では、循環流量調節弁開閉制御部２１２は、流量検出部２１１から受信した高圧蒸発器２１の管内流量に応じて、蒸発器循環流量調節弁２９に開度を指示する指令信号（開度信号）を出力する。循環流量調節弁開閉制御部２１２は、流量検出部２１１から検出流量を受信する毎に開度を決定し、開度信号を出力する。なお、開度を０とする開度信号、すなわち、閉指令は、蒸発器循環流量調節弁２９だけでなく、入口温度調節弁開閉制御部２１４にも出力する。
【００３６】
循環流量調節弁開閉制御部２１２は、例えば、流量規定値を目標値、管内流量を制御量、蒸発器循環流量調節弁２９の開度を操作量とするＰＩＤ（Ｐｒｏｐｏｒｔｉｏｎａｌ−Ｉｎｔｅｇｒａｌ−Ｄｉｆｆｅｒｅｎｔｉａｌ）制御を行う比例積分調節器等で実現される。
【００３７】
蒸発器循環流量調節弁２９の開度の時間的な変化の一例を図３（ａ）上段のグラフ３０１に示す。ここでは、ガスタービン（ＧＴ）点火直前から、蒸発器循環運転終了直後までの変化の様子を示す。
【００３８】
水温検出部２１３は、低圧節炭器入口給水温度計３４をモニタし、モニタ結果、すなわち、検出水温を、入口温度調節弁開閉制御部２１４に出力する。モニタは、例えば、ガスタービン１が点火された後、所定の時間間隔で行う。
【００３９】
入口温度調節弁開閉制御部２１４は、蒸発器循環流量調節弁２９が閉じられている間、低圧節炭器９の給水入口温度が、水温規定値となるよう、低圧節炭器入口温度調節弁３２の開度を調整する。
【００４０】
本実施形態では、入口温度調節弁開閉制御部２１４は、循環流量調節弁開閉制御部２１２から閉指令を受信している間、水温検出部２１３から受信した水温に応じて、低圧節炭器入口温度調節弁３２に開度信号を出力する。入口温度調節弁開閉制御部２１４も、循環流量調節弁開閉制御部２１２同様、例えば、比例積分調節器等で実現される。
【００４１】
低圧節炭器入口温度調節弁３２の開度の時間的な変化の一例を図３（ａ）下段のグラフ３０２に示す。ここでは、ガスタービン（ＧＴ）１点火直前から、循環運転終了直後までの変化の様子を示す。
【００４２】
図３（ａ）に示すように、本実施形態では、蒸発器循環運転が終了し、蒸発器循環流量調節弁２９が閉じてくると（３０３）、低圧節炭器入口温度調節弁３２が開き、低圧節炭器９の給水入口温度の制御が開始される。
【００４３】
例えば、上述の従来の貫流式排熱回収ボイラ２では、本実施形態のように、低圧節炭器９の入口に接続される蒸発器循環ライン２４ａと、蒸発器循環流量調節弁２９と、を備えない。従って、ガスタービン１の点火後から、低圧節炭器入口温度調節弁３２を開くよう制御される。
【００４４】
このときの、低圧節炭器入口温度調節弁３２の開度の時間的な変化の一例をグラフ３１１に示す。
【００４５】
本図に示すように、ガスタービン１点火後、低圧節炭器入口温度調節弁３２は開かれる（３１２）。しかし、低圧節炭器９の給水出口温度が低いため、低圧節炭器入口温度調節弁３２が全開となっても、低圧節炭器９の給水入口温度は水温規定値まで上昇しない状態が継続する（３１３）。
【００４６】
低圧節炭器９内の給水が加熱され、低圧節炭器９の給水出口温度が上昇し、低圧節炭器９の給水入口温度が水温規定値に達した場合、低圧節炭器入口温度調節弁３２の開度を絞り（３１４）、低圧節炭器９の給水入口温度が水温規定値になるよう制御する。
【００４７】
本実施形態の貫流式排熱回収ボイラ２ａおよび従来の貫流式排熱回収ボイラ２の低圧節炭器９の給水入口温度の変化の様子を、図３（ｂ）に示す。図３（ｂ）において、グラフ３２１は、本実施形態の貫流式排熱回収ボイラ２ａの給水入口温度の変化を示すグラフであり、グラフ３３１は、従来の貫流式排熱回収ボイラ２の給水入口温度の変化を示すグラフである。なお、グラフ３４１は、後述の第三の実施形態の貫流式排熱回収ボイラ２ｃの給水入口温度の変化を示すグラフである。
【００４８】
本実施形態では、高圧汽水分離器２２からの飽和水を低圧節炭器９の入口配管へ循環させる。従って、低圧節炭器９の給水出口温度よりも高温の給水が、起動初期より低圧節炭器９に供給される。このため、図３（ｂ）に示すように、低圧節炭器９にて加熱された給水のみにより低圧節炭器９の給水入口温度を上昇させる従来の貫流式排熱回収ボイラ２に比べて、低圧節炭器９の給水入口温度を早く上昇させることができる。
【００４９】
なお、上記例では、本実施形態の入口温度調節弁開閉制御部２１４は、蒸発器循環流量調節弁２９が閉じられている間のみ、低圧節炭器入口温度調節弁３２の開度を制御しているが、これに限定されない。例えば、蒸発器循環流量が低下し、低圧節炭器９の給水入口温度が水温規定値まで低下した場合、蒸発器循環流量調節弁２９を開いている間であっても、低圧節炭器入口温度調節弁３２を開くよう制御してもよい。
【００５０】
本実施形態のコントローラ２００は、さらに、運転圧力判別部２１５、水位検出部２１６、および、高圧給水調節弁制御部２１７を備える。
【００５１】
運転圧力判別部２１５は、高圧蒸発器２１の蒸気出口圧力が低圧節炭器９の給水入口圧力より高いか否かを判別する。運転圧力判別部２１５は、高圧蒸発器２１の蒸気出口、低圧節炭器９の給水入口にそれぞれ設けられた圧力センサ３９からの出力を用い、この判別を行う。運転圧力判別部２１５は、ガスタービン１に点火後、各圧力をモニタし、上記条件を満たした場合、循環流量調節弁開閉制御部２１２に、制御信号を出力する。
【００５２】
本実施形態では、循環流量調節弁開閉制御部２１２は、運転圧力判別部２１５から、制御信号を受信後、蒸発器循環流量調節弁２９を開く、開度信号の出力を開始する。すなわち、本実施形態の循環流量調節弁開閉制御部２１２は、起動後、高圧蒸発器２１の蒸気出口圧力が、低圧節炭器９の給水入口圧力よりも高くなったことを確認後、蒸発器循環流量調節弁２９に対し、開指示を与える。
【００５３】
水位検出部２１６は、高圧汽水分離器２２の水位を検出する。水位検出部２１６は、高圧汽水分離器２２の水位センサ４０の出力をモニタし、モニタ結果を、高圧給水調節弁制御部２１７に出力する。
【００５４】
高圧給水調節弁制御部２１７は、高圧汽水分離器２２の水位が予め定めた規定値（水位規定値）となるよう、高圧給水調節弁２０の開度を制御し、高中圧給水ライン３５の流量を調整する。高圧給水調節弁制御部２１７は、例えば、循環流量調節弁開閉制御部２１２同様、比例積分調節器等で実現される。
【００５５】
なお、蒸発器循環運転時に高圧汽水分離器２２の水位が水位設定値よりも上昇した場合は、起動ブロー弁２７を開き、高圧汽水分離器２２内の飽和水を、復水器５へと排水するよう制御する。なお、このとき、ブローライン３８を介して、高圧汽水分離器２２内の飽和水を、ブロータンク２８へ排水するよう制御してもよい。
【００５６】
また、コントローラ２００は、ＣＰＵとメモリと記憶装置とを備えた情報処理装置で実現されてもよい。この場合、コントローラ２００が実現する各機能は、記憶装置に格納されたプログラムを、ＣＰＵがメモリにロードして実行することにより、実現される。
【００５７】
各処理に必要なデータは、処理途中および処理後に生成されるデータ等は、ＲＡＭ等のメモリまたはＲＯＭ等の記憶装置に格納される。上記例では、各規定値は、ＲＯＭ等に予め記憶される。また、流量、水温、水位等のモニタ結果は、ＲＡＭ等に一時的に記憶されてもよいし、ＲＯＭ等に記憶されてもよい。
【００５８】
また、コントローラ２００の各機能は、比例積分調節器等、加算器、減算器、比較器、積分微分器、関数発生器等のハードウェアの組み合わせで実現されてもよい。
【００５９】
このように、本実施形態によれば、高圧汽水分離器２２の飽和水を、低圧節炭器９の入口に戻す蒸発器循環ライン２４ａを備える。そして、蒸発器循環ライン２４ａに設けられた蒸発器循環流量調節弁２９の開閉を、高圧蒸発器２１の入口に設けられた高圧蒸発器入口給水流量計３３が検出した流量に応じて制御する。
【００６０】
高圧系４１内の圧力は、低圧系４３内の圧力よりも十分に高い。このため、飽和水量が不足するような場合であっても、圧力差で高圧汽水分離器２２内の飽和水を前流側の系統へと循環させることができる。すなわち、高圧系４１内で自然循環バランスが成立しない状態であっても、低圧系４３を経由して高圧蒸発器２１への給水を継続できる。これにより、本実施形態によれば、どのような状態であっても、高圧蒸発器２１が異常加熱することがなく、安定した蒸発器循環運転を維持できる。従って、本実施形態によれば、強制的に飽和水を循環させるための蒸発器循環ポンプ２５（図７（ｂ）参照）が不要になり、コストを抑えられる。
【００６１】
また、本実施形態によれば、高圧汽水分離器２２の飽和水が、低圧節炭器９に給水される。すなわち、高圧汽水分離器２２の飽和水の熱エネルギが低圧系４３の熱エネルギとして置き換わる。このため、熱の損失を抑制でき、補給水が増加することもない。
【００６２】
また、一般に、排ガス入熱のない停止時には低圧節炭器９の管内給水の温度は低下する。このため、起動初期は低圧節炭器９の給水入口温度が露点温度以下となり、排ガス中の水分が低圧節炭器９の管外面で結露する。
【００６３】
上述のように、従来の貫流式排熱回収ボイラ２では、起動初期から、節炭器再循環ライン１４により、低圧節炭器９の出口の給水を入口側へ再循環させる。これにより、低圧節炭器９の給水入口温度が上昇し、排ガス中の水分の結露による低圧節炭器９の外面の腐食の発生を抑制している。
【００６４】
しかし、このような手法では、排ガスの最低温部に設置された低圧節炭器９の出口給水温度が上昇するまでには時間がかかる。例えば、図３（ｂ）に示すように、従来の貫流式排熱回収ボイラ２では、水分露点温度に到達するまで、Ｔ１の時間がかかる。この間の結露の発生は避けられない。
【００６５】
しかしながら、本実施形態では、起動初期から、高圧汽水分離器２２の飽和水が、低圧節炭器９に給水される。このため、低圧節炭器出口給水のみを加温に使用する従来の貫流式排熱回収ボイラ２に比べて、低圧節炭器９の給水入口温度を早く上昇させることができる。例えば、図３（ｂ）の例では、Ｔ１より大幅に短い時間Ｔ３で水分露点温度に到達する。
【００６６】
その結果、本実施形態によれば、低圧節炭器９の管外面で排ガス中の水分が結露する時間が大幅に減少し、それに伴い、低圧節炭器９の管外面の腐食を低減できる。
【００６７】
従って、本実施形態によれば、貫流式排熱回収ボイラ２ａにおいて、コストの上昇とエネルギの損失とを抑えつつ、起動時における安定した蒸発器循環運転を実現できる。これにより、貫流式排熱回収ボイラ２ａの経済性と信頼性とが向上する。
【００６８】
＜変形例１＞
なお、図１（ｂ）に示すように、高中圧給水ライン３５から蒸発器循環ライン２４ａへ給水を供給する、循環水減温ライン３０をさらに備えてもよい。循環水減温ライン３０は、高中圧給水ライン３５の高中圧給水ポンプ１３の出口と、高圧給水調節弁２０との間で高中圧給水ライン３５から分岐し、蒸発器循環流量調節弁２９の手前で蒸発器循環ライン２４ａに接続される。循環水減温ライン３０には、蒸発器循環水減温水調節弁３１が設けられる。
【００６９】
高圧汽水分離器２２内の飽和水の温度の変動が大きい場合、蒸発器循環流量調節弁２９での減圧により、蒸発器循環ライン２４内の飽和水が気液二相流体となる可能性がある。気液二相流体となった場合、接続先の低圧節炭器９の入口の低温水と混合されることにより、ウォータハンマ現象が発生する。
【００７０】
本変形例では、循環水減温ライン３０を設け、高圧汽水分離器２２からの飽和水に高中圧給水ポンプ１３の出口の給水を混合する。これにより、高圧汽水分離器２２からの飽和水は低圧節炭器９の入口給水の飽和温度未満まで減温される。このように、本変形例によれば、蒸発器循環流量調節弁２９により減圧されても、蒸発器循環ライン２４内の飽和水が気液二相流体となる可能性は減り、ウォータハンマ現象の発生を低減できる。
【００７１】
＜変形例２＞
なお、本実施形態では、低圧節炭器９の出口に高中圧給水ライン３５を設け、低圧節炭器９から高圧系４１および中圧系４２へ給水を供給している。しかし、高圧系および中圧系への給水の供給は、これに限定されない。例えば、図４に示すように、低圧ドラム１０に高中圧給水ライン３５を接続し、低圧ドラム１０から供給してもよい。なお、図４では、循環水減温ライン３０と蒸発器循環水減温水調節弁３１とを備える場合を例示するが、上記実施形態同様、これらはなくてもよい。
【００７２】
＜＜第二の実施形態＞＞
次に、本発明の第二の実施形態を説明する。本実施形態では、蒸発器循環ライン２４を、高圧汽水分離器２２から高圧系４１よりも低圧となる系に設置された蒸気ドラムに接続する。本実施形態では、特に、中圧系４２の蒸気ドラムである中圧ドラム１６に接続する。
【００７３】
図５は、本実施形態の貫流式排熱回収ボイラ２ｂの一例を示す図である。本実施形態の貫流式排熱回収ボイラ２ｂにおいて、蒸発器循環ライン２４ｂは、高圧汽水分離器２２の出口に接続された下降管から分岐し、中圧ドラム１６に接続される。また、蒸発器循環ライン２４ｂには、蒸発器循環流量調節弁２９が設けられる。
【００７４】
本実施形態の貫流式排熱回収ボイラ２ｂも、コントローラ２００を備える。本実施形態のコントローラ２００による、蒸発器循環流量調節弁２９および高圧給水調節弁２０の開閉制御については、第一の実施形態と同様である。
【００７５】
また、本実施形態のコントローラ２００による低圧節炭器入口温度調節弁３２の開閉制御も、基本的には、第一の実施形態と同様である。しかし、本実施形態では、蒸発器循環ライン２４ｂの接続先が、中圧ドラム１６である。このため、低圧節炭器入口温度調節弁３２の開閉は、蒸発器循環流量調節弁２９の開閉制御とは、独立に制御してもよい。
【００７６】
このように、本実施形態では、高圧汽水分離器２２の飽和水を、中圧ドラム１６に戻す蒸発器循環ライン２４ｂを備える。そして、蒸発器循環ライン２４ｂに設けられた蒸発器循環流量調節弁２９の開閉を、高圧蒸発器２１の入口に設けられた高圧蒸発器入口給水流量計３３が検出した流量に応じて制御する。
【００７７】
高圧系４１内の圧力は、中圧ドラム１６内の圧力より十分に高い。このため、本実施形態においても、圧力差で高圧汽水分離器２２内の飽和水を前流側の系統へと循環させることができる。すなわち、高圧系４１内で自然循環バランスが成立しない状態であっても、中圧系４２を経由して高圧蒸発器２１への給水を継続できる。これにより、本実施形態によれば、どのような状態であっても、高圧蒸発器２１が異常加熱することがなく、安定した蒸発器循環運転を実現できる。従って、本実施形態によれば、強制的に飽和水を循環させるための蒸発器循環ポンプ２５の設置が不要になり、コストを抑えられる。
【００７８】
また、本実施形態の貫流式排熱回収ボイラ２ｂでは、高圧蒸発器系の給水を、中圧系４２に循環させる。中圧系４２は、低圧系４３より運転圧力が高く、ガス前流側に設置される。このため、低圧系４３に循環させる構成に比べて、減圧による回収熱の損失を抑制することができる。
【００７９】
また、接続先が、気液分離可能な蒸気ドラムであるため、蒸発器循環流量調節弁２９での減圧により気液二相状態となった流体であっても、そのままの状態で受け入れることができ、循環を継続できる。このため、本実施形態では、第一の実施形態のような循環水減温ライン３０の設置は不要となる。
【００８０】
なお、本実施形態においても、第一の実施形態同様、高圧系４１および中圧系４２への給水を、低圧ドラム１０から行うよう構成してもよい。すなわち、低圧ドラム１０に高中圧給水ライン３５を接続してもよい。
【００８１】
＜＜第三の実施形態＞＞
次に、本発明の第三の実施形態を説明する。本実施形態でも、蒸発器循環ライン２４を、高圧汽水分離器２２から高圧系４１よりも低圧となる系に設置された蒸気ドラムに接続する。本実施形態では、特に、低圧系４３の蒸気ドラムである低圧ドラム１０に接続する。
【００８２】
図６（ａ）は、本実施形態の貫流式排熱回収ボイラ２ｃの一例を示す図である。本実施形態の貫流式排熱回収ボイラ２ｃにおいて、蒸発器循環ライン２４ｃは、高圧汽水分離器２２の出口に接続された下降管から分岐し、低圧ドラム１０に接続される。また、蒸発器循環ライン２４ｃは、蒸発器循環流量調節弁２９を備える。
【００８３】
また、本実施形態のコントローラ２００による、蒸発器循環流量調節弁２９および高圧給水調節弁２０の開閉制御についても、第一の実施形態と同様である。
【００８４】
また、本実施形態のコントローラ２００による低圧節炭器入口温度調節弁３２の開閉制御も、基本的には、第一の実施形態と同様である。しかし、本実施形態では、蒸発器循環ライン２４ｃの接続先が、低圧ドラム１０である。このため、低圧節炭器入口温度調節弁３２の開閉は、蒸発器循環流量調節弁２９の開閉制御とは、独立に制御してもよい。
【００８５】
このように、本実施形態では、高圧汽水分離器２２の飽和水を、低圧ドラム１０に戻す蒸発器循環ライン２４ｃを備える。そして、蒸発器循環ライン２４ｃに設けられた蒸発器循環流量調節弁２９の開閉を、高圧蒸発器２１の入口に設けられた高圧蒸発器入口給水流量計３３が検出した流量に応じて制御する。
【００８６】
本実施形態においても、高圧系４１内の圧力は、低圧ドラム１０内の圧力より十分に高いた。このため、圧力差で高圧汽水分離器２２内の飽和水を、前流側の系統へと循環させることができる。すなわち、高圧系４１内で自然循環バランスが成立しない状態であっても、低圧系４３を経由して高圧蒸発器２１への給水を継続できる。これにより、本実施形態によれば、どのような状態であっても、高圧蒸発器２１の異常加熱も発生することがなく、安定した蒸発器循環運転を実現できる。従って、本実施形態によれば、強制的に飽和水を循環させるための蒸発器循環ポンプ２５が不要になり、コストを抑えられる。
【００８７】
また、低圧ドラム１０へ循環する高圧汽水分離器２２の飽和水は、低圧ドラム１０の缶水よりも高エンタルピである。起動時にこの飽和水を受け入れることにより、低圧ドラム１０の圧力および飽和温度は早く上昇する。その結果、低圧節炭器９の入口側ガス温度の上昇も早くなり、低圧節炭器９での熱吸収量が急速に増加するため、低圧節炭器９の給水出口温度も早く上昇する。
【００８８】
そして、このような低圧節炭器９の出口給水を、節炭器再循環ライン１４により低圧節炭器９の入口側へ再循環させることで、低圧節炭器９の給水入口温度を早く上昇させることができる。
【００８９】
例えば、本実施形態の貫流式排熱回収ボイラ２ａでは、図３（ｂ）のグラフ３４１で示すように低圧節炭器９の給水入口温度が変化する。図３（ｂ）の例では、時間Ｔ２で水分露点温度に到達する。このように、本実施形態によれば、低圧節炭器出口給水のみを加温に使用する従来の貫流式排熱回収ボイラ２に比べて、低圧節炭器９の給水入口温度が早く上昇する。その結果、本実施形態によれば、低圧節炭器９の管外面で排ガス中の水分が結露する時間が減少し、それに伴い、低圧節炭器９の管外面の腐食を低減できる。
【００９０】
＜変形例＞
なお、本実施形態においても、図６（ｂ）に示すように、第一の実施形態同様、高圧系４１および中圧系４２への給水を、低圧ドラム１０から行うよう構成してもよい。すなわち、低圧ドラム１０に高中圧給水ライン３５を接続してもよい。
【００９１】
特に、本変形例によれば、低圧ドラム１０内の水温が上昇する。このため、中圧系４２および高圧系４１へ供給される給水温度が上昇する。これにより、中圧系４２および高圧系４１が温められ、起動時の急激な温度変化に伴う熱疲労等の発生が低減する。
【００９２】
さらに、第三の実施形態と同様に、低圧節炭器９の給水入口温度の上昇も早くなり、低圧節炭器９の管外面の腐食を低減できる。
【００９３】
以上説明したように、各実施形態および変形例によれば、高圧汽水分離器２２からの蒸発器循環ライン２４（２４ａ〜２４ｃ）の接続先を、中圧系４２および低圧系４３のいずれかの構成にする。これにより、起動時等であっても、回収熱や補給水の損失なしに、蒸発器循環ポンプ２５を設置することなく、高圧蒸発器２１への給水を継続でき、安定した蒸発器循環運転を行うことができる。従って、経済性に優れた貫流式排熱回収ボイラを提供できる。また、接続先によっては、低圧節炭器９の入口側での結露による外面腐食の発生を抑制し、信頼性も向上する。
【符号の説明】
【００９４】
１：ガスタービン、２：貫流式排熱回収ボイラ、２ａ：貫流式排熱回収ボイラ、２ｂ：貫流式排熱回収ボイラ、２ｃ：貫流式排熱回収ボイラ、３：蒸気タービン、４：発電機、５：復水器、６：復水ポンプ、７：復水脱塩装置、８：低圧給水ポンプ、９：低圧節炭器、１０：低圧ドラム、１１：低圧蒸発器、１２：低圧過熱器、１３：高中圧給水ポンプ、１４：節炭器再循環ライン、１５：中圧節炭器、１６：中圧ドラム、１７：中圧蒸発器、１８：中圧過熱器、１９：高圧節炭器、２０：高圧給水調節弁、２１：高圧蒸発器、２２：高圧汽水分離器、２３：高圧過熱器、２４：蒸発器循環ライン、２４ａ：蒸発器循環ライン、２４ｂ：蒸発器循環ライン、２４ｃ：蒸発器循環ライン、２５：蒸発器循環ポンプ、２６：起動ブローライン、２７：起動ブロー弁、２８：ブロータンク、２９：蒸発器循環流量調節弁、３０：循環水減温ライン、３１：蒸発器循環水減温水調節弁、３２：低圧節炭器入口温度調節弁、３３：高圧蒸発器入口給水流量計、３４：低圧節炭器入口給水温度計、３５：高中圧給水ライン、３６：節炭器再循環ポンプ、３７：復水ライン、３８：ブローライン、３９：圧力センサ、４０：水位センサ、４１：高圧系、４２：中圧系、４３：低圧系、
１００：コンバインドサイクル発電設備、２００：コントローラ、２１１：流量検出部、２１２：循環流量調節弁開閉制御部、２１３：水温検出部、２１４：入口温度調節弁開閉制御部、２１５：運転圧力判別部、２１６：水位検出部、２１７：高圧給水調節弁制御部、
３０１：グラフ、３０２：グラフ、３１１：グラフ、３２１：グラフ、３３１：グラフ、３４１：グラフ
【図１】
2020003090.tif 000003
【図２】
2020003090.tif 000004
【図３】
2020003090.tif 000005
【図４】
2020003090.tif 000006
【図５】
2020003090.tif 000007
【図６】
2020003090.tif 000008
【図７】
2020003090.tif 000009